(57)【特許請求の範囲】
【請求項１】
車両に搭載される車載移動端末と、当該車載移動端末を含む各端末からの要求に応じてウェブページを登録した登録データベースにアクセスし、当該登録データベースに登録されたコンテンツを端末のユーザに提供するサーバから成る情報提供システムであって、
前記車載移動端末は、現在位置を特定する現在位置特定手段を備え、
前記登録データベースには、アクセスした各端末を対象として、当該端末からの入力条件に応じて提供するコンテンツを規定するとともに、前記車載移動端末を対象として、特定リンクから別の特定リンクへの移動、特定リンクから特定地点への移動、特定リンクから特定領域への移動の少なくとも１つをトリガ条件とし、前記車載移動端末が前記トリガ条件を満たした際に提供する位置連動コンテンツをウェブページ上で定義した位置連動コンテンツ提供ウェブページが登録されており、
前記車載移動端末から前記位置連動コンテンツ提供ウェブページへのアクセスが発生し、かつ、当該位置連動コンテンツ提供ウェブページに前記車載移動端末を対象とした前記位置連動コンテンツが定義されていることを判定した場合、前記現在位置特定手段により特定された現在位置から前記車載移動端末の移動状況を特定し、前記登録データベースを参照して前記車載移動端末の移動状況と同じ前記トリガ条件の前記位置連動コンテンツを探索する位置連動コンテンツ探索手段と、
前記位置連動コンテンツ探索手段により探索された前記位置連動コンテンツを、当該位置連動コンテンツに規定された前記トリガ条件で前記車載移動端末のユーザに提供する情報提供手段と、を備え、
前記サーバは、
前記車載移動端末以外の端末から前記位置連動コンテンツ提供ウェブページへのアクセスが発生したことを判定した場合、前記車載移動端末以外の端末からの入力条件に応じたコンテンツを提供し、
前記車載移動端末から前記位置連動コンテンツ提供ウェブページへのアクセスが発生し、かつ、当該位置連動コンテンツ提供ウェブページに前記車載移動端末を対象とした前記位置連動コンテンツが定義されていることを判定した場合には、前記位置連動コンテンツの探索および探索された前記位置連動コンテンツを前記車載移動端末のユーザに提供するための処理を実行することを特徴とする情報提供システム。
【請求項２】
前記位置連動コンテンツ提供ウェブページは、ＨＴＭＬを用いて記述されており、
前記位置連動コンテンツは、前記位置連動コンテンツ提供ウェブページのｍｅｔａ情報として定義されていることを特徴とする請求項１に記載の情報提供システム。
【請求項３】
前記位置連動コンテンツ探索手段は、前記車載移動端末の現在位置から前記車載移動端末の移動先に向かって前記位置連動コンテンツを探索することを特徴とする請求項１または２に記載の情報提供システム。
【請求項４】
前記車載移動端末は、前記車載移動端末より前方の予め定められた領域に含まれる前記位置連動コンテンツを取得するとともに、取得した前記車載移動端末より前方の予め定められた領域に含まれる前記位置連動コンテンツを記憶手段に一次記憶させ、
前記位置連動コンテンツ探索手段は、前記車載移動端末に設けられ、前記記憶手段に一次記憶された前記位置連動コンテンツから前記車載移動端末の移動状況と同じ前記トリガ条件の位置連動コンテンツを探索することを特徴とする請求項１ないし３のいずれか１つに記載の情報提供システム。
【請求項５】
前記サーバは、
前記車載移動端末が通信不能となる通信不能領域を規定したテーブルに基づいて前記車載移動端末が前記通信不能領域へ移動する可能性があるか否かを判定する通信不能領域移動判定手段と、
前記車載移動端末が前記通信不能領域へ移動する可能性があると判定された場合、前記車載移動端末が前記通信不能領域へ移動する前に、前記通信不能領域に含まれる前記位置連動コンテンツを前記車載移動端末へ送信する送信手段と、を備えたことを特徴とする請求項１ないし４のいずれか１つに記載の情報提供システム。
【請求項６】
前記トリガ条件には、前記位置連動コンテンツを提供する地点の詳細を表す情報提供地点、時間的条件、前記車載移動端末のユーザ属性、気象状況、渋滞状況の少なくとも１つが含まれることを特徴とする請求項１ないし５のいずれか１つに記載の情報提供システム。
【請求項７】
前記位置連動コンテンツ探索手段は、前記位置連動コンテンツを提供する地点を詳細に指定するための情報提供地点を絞り込み条件に加えて前記位置連動コンテンツを探索することを特徴とする請求項１ないし６のいずれか１つに記載の情報提供システム。
【請求項８】
前記位置連動コンテンツ探索手段は、現在の時間的条件を特定し、当該時間的条件を絞り込み条件に加えて前記位置連動コンテンツを探索することを特徴とする請求項１ないし７のいずれか１つに記載の情報提供システム。
【請求項９】
前記位置連動コンテンツ探索手段は、前記車載移動端末のユーザ属性を取得し、当該ユーザ属性を絞り込み条件に加えて前記位置連動コンテンツを探索することを特徴とする請求項１ないし８のいずれか１つに記載の情報提供システム。
【請求項１０】
前記位置連動コンテンツ探索手段は、前記車載移動端末の現在位置周辺の気象情報を取得し、当該気象情報により特定される前記車載移動端末周辺の天候を絞り込み条件に加えて前記位置連動コンテンツを探索することを特徴とする請求項１ないし９のいずれか１つに記載の情報提供システム。
【請求項１１】
前記位置連動コンテンツ探索手段は、前記車載移動端末の現在位置周辺の渋滞情報を取得し、当該渋滞情報により特定される前記車載移動端末周辺の渋滞状況を絞り込み条件に加えて前記位置連動コンテンツを探索することを特徴とする請求項１ないし１０のいずれか１つに記載の情報提供システム。
【発明の詳細な説明】
【技術分野】
【０００１】
本発明は、車両に搭載される車載移動端末と、当該車載移動端末を含む各端末からの要求に応じてウェブページを登録した登録データベースにアクセスし、当該登録データベースに登録されたコンテンツを車載移動端末へ提供するサーバから成る情報提供システムに関するものである。
【背景技術】
【０００２】
従来、サービスプロバイダからモバイル端末を使用する複数のユーザにパーソナル化された情報を提供する装置として、ＨＴＭＬブラウザ等を有するモバイル端末からの要求情報に基づき、加入者及びコンテンツ・データベースから、要求されたコンテンツを検索し、サーバから検索結果をモバイル端末に提供するようにしたものがある（例えば、特許文献１参照）。
【０００３】
また、車両用ナビゲーション装置のような車載移動端末において、ＨＴＭＬブラウザ等を用いてネットワーク接続された登録サーバにアクセスして、登録サーバに登録されたウェブページを表示することが可能となっているものがある。
【先行技術文献】
【特許文献】
【０００４】
【特許文献１】特開２００５−５２１２９９号公報
【発明の概要】
【発明が解決しようとする課題】
【０００５】
上記したような登録サーバに登録されているウェブページは、汎用的なＨＴＭＬ（Ｈｙｐｅｒ  Ｔｅｘｔ  Ｍａｒｋｕｐ  Ｌａｎｇｕａｇｅ）等のデータ記述言語を用いて記述されており、基本的にはアクセス許可された端末に対し、いつでも、どこでも、どのような端末に対しても、同様のコンテンツが提供されるようになっている。
【０００６】
ユーザは端末のブラウザの表示画面に従って、検索条件の入力、アイコン等の選択、ＵＲＬを指定するための操作等、条件入力の操作を行うことにより、いつでも、どこでも、必要な情報を入手することが可能となっている。
【０００７】
しかし、上記したように、いつでも、どこでも、どのような端末に対しても、同様のコンテンツが提供されるような構成では、ユーザが端末のブラウザの表示画面に従って各種条件入力の操作を行う必要があり、例えば、車両に搭載された車載移動端末においては、ユーザが車両を運転しているような場合に、運転操作を阻害する要因となり、安全上好ましくないといった問題がある。
【０００８】
そこで、移動端末を搭載した車両の走行に伴う車両の移動状況を条件入力として捉え、車両の移動状況に応じて各種コンテンツを適切なタイミングで提供するといったサービスが有効と考えられる。
【０００９】
ただし、このようなサービスは、ユーザの操作を低減するのが目的であり、車両に搭載された車載移動端末に限定して実施し、車載移動端末以外の端末に対しては、ユーザの条件入力の操作に応じたコンテンツの提供を行うことができるようにするのが好ましい。
【００１０】
本発明は上記問題に鑑みたもので、ウェブページにアクセスした端末に対してユーザの条件入力の操作に応じたコンテンツを提供するとともに、車載移動端末に対しては、ユーザの条件入力の操作を必要とすることなく、車両の移動状況に応じたコンテンツを適切なタイミングで提供できるようにすることを目的とする。
【課題を解決するための手段】
【００１１】
上記目的を達成するため、請求項１に記載の発明は、車両に搭載される車載移動端末と、当該車載移動端末を含む各端末からの要求に応じてウェブページを登録した登録データベースにアクセスし、当該登録データベースに登録されたコンテンツを端末のユーザに提供するサーバから成る情報提供システムであって、車載移動端末は、現在位置を特定する現在位置特定手段を備え、登録データベースには、アクセスした各端末を対象として、当該端末からの入力条件に応じて提供するコンテンツを規定するとともに、車載移動端末を対象として、特定リンクから別の特定リンクへの移動、特定リンクから特定地点への移動、特定リンクから特定領域への移動の少なくとも１つをトリガ条件とし、車載移動端末がトリガ条件を満たした際に提供する位置連動コンテンツをウェブページ上で定義した位置連動コンテンツ提供ウェブページが登録されており、車載移動端末から位置連動コンテンツ提供ウェブページへのアクセスが発生し、かつ、当該位置連動コンテンツ提供ウェブページに車載移動端末を対象とした位置連動データベースが定義されていることを判定した場合、現在位置特定手段により特定された現在位置から車載移動端末の移動状況を特定し、登録データベースを参照して車載移動端末の移動状況と同じトリガ条件の位置連動コンテンツを探索する位置連動コンテンツ探索手段と、位置連動コンテンツ探索手段により探索された位置連動コンテンツを、データベースに規定されたトリガ条件で車載移動端末のユーザに提供する情報提供手段と、を備え、サーバは、車載移動端末以外の端末から位置連動コンテンツ提供ウェブページへのアクセスが発生したことを判定した場合、車載移動端末以外の端末からの入力条件に応じたコンテンツを提供し、車載移動端末から位置連動コンテンツ提供ウェブページへのアクセスが発生し、かつ、当該位置連動コンテンツ提供ウェブページに車載移動端末を対象とした位置連動コンテンツが定義されていることを判定した場合には、位置連動コンテンツの探索および探索された位置連動コンテンツを車載移動端末のユーザに提供するための処理を実行することを特徴としている。
【００１２】
このような構成によれば、車載移動端末は、現在位置を特定する現在位置特定手段を備え、登録データベースには、アクセスした各端末を対象として、当該端末からの入力条件に応じて提供するコンテンツを規定するとともに、車載移動端末を対象として、特定リンクから別の特定リンクへの移動、特定リンクから特定地点への移動、特定リンクから特定領域への移動の少なくとも１つをトリガ条件とし、車載移動端末がトリガ条件を満たした際に提供する位置連動コンテンツをウェブページ上で定義した位置連動コンテンツ提供ウェブページが登録されており、車載移動端末から位置連動コンテンツ提供ウェブページへのアクセスが発生し、かつ、当該位置連動コンテンツ提供ウェブページに車載移動端末を対象とした位置連動データベースが定義されていることを判定した場合、現在位置特定手段により特定された現在位置から車載移動端末の移動状況を特定し、登録データベースを参照して車載移動端末の移動状況と同じトリガ条件の位置連動コンテンツを探索し、探索された位置連動コンテンツが、データベースに規定されたトリガ条件で車載移動端末のユーザに提供される。すなわち、ウェブページにアクセスした端末に対してユーザの条件入力の操作に応じたコンテンツを提供するとともに、車載移動端末に対しては、ユーザの条件入力の操作を必要とすることなく、車両の移動状況に応じたコンテンツを適切なタイミングで提供することができる。
【図面の簡単な説明】
【００１３】
【図１】本発明の一実施形態に係る情報提供システムの全体構成を示す図である。
【図２】車載移動端末のブロック構成を示す図である。
【図３】位置連動データベースのトリガ条件について説明するための図である。
【図４】位置連動条件ｍｅｔａ定義について説明するための図である。
【図５】サーバの処理を示すフローチャートである。
【図６】車載移動端末から位置連動コンテンツ提供ウェブページへのアクセスが発生した場合のサーバの処理を示すフローチャートである。
【図７】位置連動データベースのキャッシュについて説明するための図である。
【発明を実施するための形態】
【００１４】
本発明の一実施形態に係る情報提供システムの全体構成を図１に示す。本情報提供システムは、車両に搭載される車載移動端末１と、配信センター２および登録センター３に設置された各サーバ２１〜２４、３１〜３３により構成されている。なお、車載移動端末１以外の端末からも配信センター２および登録センター３に設置された各サーバ２１〜２４、３１〜３３にアクセスすることが可能となっている。
【００１５】
本実施形態における車載移動端末１は、車両のインストルメントパネル付近に取り付けられたナビゲーション装置として構成されており、運転者が運転席に着座した状態で操作することが可能となっている。
【００１６】
図２に示すように、車載移動端末１は、ＧＰＳ衛星からの測位信号を受信するＧＰＳ受信部１０、地図データを記憶した地図データ記憶部１１、無線通信するための通信部１２、スイッチを有し、スイッチに対する操作に応じた信号を出力する操作部１３、液晶等のディスプレイに映像を表示させる表示部１４、音声を出力する音声出力部１５および制御部１６を備えている。
【００１７】
制御部１６は、ＣＰＵ、メモリ、Ｉ／Ｏ等を備えたコンピュータとして構成されており、ＣＰＵはメモリに記憶されたプログラムに従って各種処理を実施する。車載移動端末１には、アプリケーションソフトウェアとして、ウェブページ等を表示するためのブラウザ、現在位置周辺の地図表示や経路案内等を行う地図ソフト等がインストールされている。
【００１８】
制御部１６の処理としては、ＧＰＳ受信部１０により受信されたＧＰＳ衛星からの測位信号に基づいて現在位置を特定する現在位置特定処理、地図データ記憶部１１に記憶された地図データに基づいて現在位置周辺の地図上に現在位置マークを重ねて表示する地図表示処理、通信部１２を介してネットワーク通信網に接続し、ユーザ操作により特定されたウェブサイトの表示画像を表示部１４に表示させるウェブ表示処理等がある。
【００１９】
配信センター２には、位置連動ＨＴＭＬデータベース２１、ユーザ管理サーバ２２、移動端末ＵＩサーバ２３およびセンター探索サーバ２４が設置されている。これらの各サーバ２１〜２４は、それぞれ互いにネットワーク通信網を介して接続されている。
【００２０】
また、登録センター３には、登録ＵＩサーバ３１、位置連動ＨＴＭＬ登録サーバ３２、審査サーバ３３が設置されている。これらの各サーバ３１〜３３も、それぞれ互いにネットワーク通信網を介して接続されている。
【００２１】
なお、登録センター３に設置された各サーバ３１〜３３と配信センター２に設置された各サーバ２１〜２４との間は専用回線を介して接続されている。
【００２２】
また、登録センター３に設置された登録ＵＩサーバ３１には、店舗に設置された店舗サーバ４１、Ｗｅｂサイトの企画・管理等を行うサービスプロバイダサーバ４２、音楽や映像等の配信を行うコンテンツプロバイダサーバ４３が接続されている。
【００２３】
これらの店舗サーバ４１、サービスプロバイダサーバ４２、コンテンツプロバイダサーバ４３は、登録センター３に設置された登録ＵＩサーバ３１を経由して、位置連動ＨＴＭＬ登録サーバ３２等のサーバにホームページのウェブページやウェブコンテンツ等を登録することが可能となっている。
【００２４】
登録ＵＩサーバ３１は、位置連動ＨＴＭＬ登録サーバ３２にウェブページやウェブコンテンツ等を登録するユーザの認証、ユーザ情報の管理等を行う。
【００２５】
位置連動ＨＴＭＬ登録サーバ３２には、汎用的なＨＴＭＬ（Ｈｙｐｅｒ  Ｔｅｘｔ  Ｍａｒｋｕｐ  Ｌａｎｇｕａｇｅ）を用いて記述されたウェブページが登録されるようになっている。
【００２６】
また、位置連動ＨＴＭＬ登録サーバ３２には、検索条件の入力、アイコン等の選択、ＵＲＬを指定するための操作等、条件入力の操作に応じてコンテンツを提供する各種ウェブページが登録されるようになっている。
【００２７】
審査サーバ３３は、位置連動ＨＴＭＬ登録サーバ３２に登録されているウェブページの中から、車両に取り付けられた車載移動端末１への提供に適したものを予め定められた審査基準に従って審査するサーバである。
【００２８】
審査基準としては、例えば、一画面内に表示される文字数が予め定められた規定値以下であること、運転者の視線を一定時間以上引きつけてしまうような動画の表示が含まれないこと、規定値を超える輝度値を有する画像が含まれないこと、運転者が一定時間以上注視しないと内容を認識することができないような画像が含まれないこと、運転者に運転案内等の誤解を与えるような画像が含まれないこと、規定値を超える音量で音楽再生するような内容が含まれないこと、規定値以上の位置連動コンテンツを同時に提供することがないこと等がある。
【００２９】
上記した審査サーバ３３の審査を通過したウェブページのみが配信センター２の位置連動ＨＴＭＬデータベース２１に格納される。
【００３０】
ユーザ管理サーバ２２は、車載移動端末１のユーザ情報の管理を行う。このユーザ管理サーバ２２により、車載移動端末１へのコンテンツの提供を個別に行うことが可能となる。なお、ユーザ情報には、車載移動端末１を所有するユーザの属性（例えば、性別、年齢等）が含まれる。
【００３１】
移動端末ＵＩサーバ２３は、車載移動端末１のユーザ認証、アクセス制限等の処理を行う。なお、移動端末ＵＩサーバ２３は、車載移動端末１と異なる各種端末のユーザ認証、アクセス制限等の処理も行う。
【００３２】
センター探索サーバ２４は、車載移動端末１の現在位置に基づいて車載移動端末１が位置するリンクの特定等の処理を行う。
【００３３】
本実施形態において、位置連動ＨＴＭＬ登録サーバ３２、位置連動ＨＴＭＬデータベース２１の少なくとも１つに、位置連動コンテンツ提供ウェブページが登録されるようになっている。
【００３４】
この位置連動コンテンツ提供ウェブページは、パーソナルコンピュータ、多機能携帯電話、タブレット端末等、車載移動端末１以外の端末からの要求に応じて、検索条件の入力、アイコン等の選択、ＵＲＬを指定するための操作等、条件入力の操作に応じたコンテンツを提供するとともに、車載移動端末１を対象として、車載移動端末１を搭載した車両の走行に伴う車両の移動状況に応じて各種コンテンツを適切なタイミングで提供する位置連動コンテンツ提供ウェブページが登録されるようになっている。
【００３５】
この位置連動コンテンツ提供ウェブページには、図３に示すように、特定リンクから別の特定リンクへの移動（ｌｉｎｋ−ｔｏ−ｌｉｎｋ）、特定リンクから特定地点への移動（ｌｉｎｋ−ｔｏ−ｐｏｉｎｔ）、特定リンクから特定領域への移動（ｌｉｎｋ−ｔｏ−ａｒｅａ）をトリガ条件とし、車載移動端末１がトリガ条件を満たした際に提供する位置連動コンテンツを規定した位置連動条件ｍｅｔａが定義されている。
【００３６】
ｌｉｎｋ−ｔｏ−ｌｉｎｋは、あるリンクから別のリンクへ通過する経路を走行する移動体にのみ提供するコンテンツを規定したものである。なお、あるリンクから複数のリンクに分岐している場合には、分岐している各リンクについて提供するコンテンツを規定することが可能となっている。また、連続する３つ以上のリンクについて提供するコンテンツを規定することも可能となっている。また、コンテンツを提供するタイミングを指定することも可能となっている。
【００３７】
ｌｉｎｋ−ｔｏ−ｐｏｉｎｔは、あるリンクを通過して、あるポイントに接近する移動体にのみ提供するコンテンツを規定したものである。なお、コンテンツを提供するタイミングを指定することも可能となっている。
【００３８】
ｌｉｎｋ−ｔｏ−ａｒｅａは、あるリンクからあるエリアに進入する移動体またはあるエリアからあるリンクに進入する移動体にのみ提供するコンテンツを規定したものである。なお、本実施形態において、トリガ条件に、例えば、リンクＡからリンクＢへの分岐点より手前１００メートル、リンクＡから特定エリアＣへの進入地点より手前３００メートルといったように、位置連動コンテンツを提供する地点の詳細を表す情報提供地点をオプションとして含むようにすることも可能となっている。
【００３９】
また、本実施形態において、トリガ条件に、時間的条件（例えば、時間帯、期間）、ユーザ属性（例えば、性別、年齢）、気象情報および渋滞情報の少なくとも１つをオプションとして含むようにすることも可能となっている。なお、これらのオプションは、位置連動コンテンツ提供ウェブページのｍｅｔａ情報として定義することができる。
【００４０】
上記した位置連動データベースは、位置連動コンテンツ提供ウェブページの拡張属性を用いて定義されている。
【００４１】
図４に、（１）位置連動データベースが位置連動ＨＴＭＬ登録サーバ３２内に格納されている場合、（２）位置連動データベースが格納されたサービスプロバイダサーバ（ＳＰサーバ）あるいはコンテンツプロバイダサーバ（ＣＰサーバ）のＵＲＬを指定するようになっている場合、（３）サービスプロバイダサーバ（ＳＰサーバ）あるいはコンテンツプロバイダサーバ（ＣＰサーバ）から、位置連動データベースが格納された参照先サービスプロバイダサーバ（ＳＰサーバ）あるいは参照先コンテンツプロバイダサーバ（ＣＰサーバ）のＵＲＬを指定するようになっている場合について、位置連動条件ｍｅｔａ定義の例を示す。
【００４２】
ＨＴＭＬ文書は、＜ｈｔｍｌ＞、＜ｈｅａｄｅｒ＞、＜ｂｏｄｙ＞の３種類のタグで文書の構造を定義するようになっている。図４中には示してないが、＜ｈｔｍｌ＞は、その文書がＨＴＭＬ文書であることを宣言するタグであり、文書の最初と最後に記述するようになっている。また、＜ｈｅａｄｅｒ＞から＜／ｈｅａｄｅｒ＞の間には、文書のタイトル等のヘッダー情報を記述するようになっている。また、＜ｂｏｄｙ＞から＜／ｂｏｄｙ＞までの間には、実際にブラウザに表示される文書の本体を記述するようになっている。
【００４３】
＜ｈｅａｄｅｒ＞から＜／ｈｅａｄｅｒ＞の間に記述される文書のタイトル、スタイルシート、スクリプト等は、一般には画面に表示されず、ＨＴＭＬブラウザがＨＴＭＬを処理するときなどに利用される。なお、このヘッダー内に記述されるものとして、拡張定義を可能とするｍｅｔａ定義も含まれる。
【００４４】
本実施形態において、位置連動コンテンツ提供ウェブページのヘッダー内に、ｍｅｔａタグを用いて位置連動データベースが定義されている。
【００４５】
図４（１）のように、位置連動ＨＴＭＬ登録サーバ３２内に全データを登録する場合、位置連動データベースの実態データは、位置連動コンテンツ提供ウェブページの＜ｂｏｄｙ＞において指定される。
【００４６】
また、図４（２）のように、位置連動データベースが格納されたサービスプロバイダサーバ（ＳＰサーバ）あるいはコンテンツプロバイダサーバ（ＣＰサーバ）のＵＲＬを指定するようになっている場合は、位置連動コンテンツ提供ウェブページの＜ｂｏｄｙ＞において、位置連動データベースを格納しているサーバのＵＲＬを指定する。
【００４７】
また、図４（３）のように、サービスプロバイダサーバ（ＳＰサーバ）あるいはコンテンツプロバイダサーバ（ＣＰサーバ）から、位置連動データベースが格納された参照先サービスプロバイダサーバ（ＳＰサーバ）あるいは参照先コンテンツプロバイダサーバ（ＣＰサーバ）のＵＲＬを指定するようになっている場合、位置連動コンテンツ提供ウェブページの＜ｂｏｄｙ＞において、例えば、位置連動データベースが格納されている参照先サービスプロバイダサーバ（ＳＰサーバ）のＵＲＬを指定しているサービスプロバイダサーバ（ＳＰサーバ）のＵＲＬを指定する。
【００４８】
本実施形態における車載移動端末１は、ユーザ操作に応じてブラウザが起動されると、移動端末ＵＩサーバ２３を介して、ユーザ管理サーバ２２、センター探索サーバ２４、位置連動ＨＴＭＬ登録サーバ３２、位置連動ＨＴＭＬデータベース２１等、位置連動コンテンツ提供ウェブページが登録されたサーバにアクセスするようになっている。また、車載移動端末１は、位置連動コンテンツ提供ウェブページが登録された位置連動ＨＴＭＬデータベース２１へのアクセスに成功すると、自己の識別情報とともに、ＧＰＳ受信部１０により受信されたＧＰＳ衛星からの測位信号に基づいて特定した現在位置を定期的に移動端末ＵＩサーバ２３、ユーザ管理サーバ２２、センター探索サーバ２４等のサーバに送信するとともに、各サーバを介して提供されるコンテンツに応じた処理を実施する。
【００４９】
次に、図５に従って、サーバの処理について説明する。なお、ここでは、配信センター２および登録センター３に設置された各サーバ２１〜２４、３１〜３３の処理を１つのサーバの処理として説明する。
【００５０】
サーバは、車載移動端末１以外の端末から位置連動コンテンツ提供ウェブページへのアクセスが発生したことを判定した場合、車載移動端末１以外の端末からの入力条件に応じたコンテンツ提供する。例えば、表示画面に表示したコンソールボックスに入力されたキーワードを検索条件とした検索処理や、表示画面に表示したアイコンが選択されると、選択されたアイコンのリンク先のウェブページを表示する処理等を実施する。
【００５１】
また、サーバは、車載移動端末１から位置連動コンテンツ提供ウェブページへのアクセスが発生し、かつ、当該位置連動コンテンツ提供ウェブページ上で、車載移動端末１を対象とした位置連動データベースが定義されていることを判定した場合、図５に示す処理を周期的に実施する。
【００５２】
まず、車載移動端末１から送信される識別情報に基づいて車載移動端末１を特定するとともに、車載移動端末１から定期的に送信される現在位置を表す情報に基づいて車載移動端末１の位置を特定する（Ｓ１００）。
【００５３】
次に、車載移動端末１を搭載した車両の位置がリンク上にあるか否かを判定する（Ｓ１０２）。なお、車載移動端末１を搭載した車両の位置がリンク上にあるか否かの判定は、現在位置を道路上の位置に修正するマップマッチング技術を用いて判定することができる。
【００５４】
ここで、車載移動端末１を搭載した車両の位置がリンク上にない場合、Ｓ１０２の判定はＮＯとなり、本処理を終了する。また、車載移動端末１を搭載した車両の位置がリンク上にある場合には、Ｓ１０２の判定はＹＥＳとなり、次に、車載移動端末１を搭載した車両が位置するリンクの前方の位置連動コンテンツを取得する（Ｓ１０４）。具体的には、車載移動端末１を搭載した車両より前方の予め定められた領域に含まれる位置連動コンテンツを位置連動データベースから取得する。
【００５５】
次に、車載移動端末１の移動状況を特定し、登録データベースを参照して車載移動端末１の移動状況と同じトリガ条件を満たす可能性がある位置連動コンテンツを探索するとともに、車載移動端末１の移動状況と同じトリガ条件を満たす可能性がある位置連動コンテンツが探索されたか否かを判定する（Ｓ１０６）。本実施形態では、車載移動端末１の現在位置から車載移動端末１の移動先に向かって位置連動コンテンツを探索する。本実施形態では、位置連動コンテンツを提供する地点を詳細に指定するための情報提供地点を絞り込み条件に加えて位置連動コンテンツを探索する。また、現在の時間的条件を特定し、当該時間的条件を絞り込み条件に加えて位置連動コンテンツを探索する。また、車載移動端末のユーザ属性を取得し、当該ユーザ属性を絞り込み条件に加えて位置連動コンテンツを探索する。また、車載移動端末の現在位置周辺の気象情報を取得し、当該気象情報により特定される車載移動端末周辺の天候を絞り込み条件に加えて位置連動コンテンツを探索する。また、車載移動端末の現在位置周辺の渋滞情報を取得し、当該渋滞情報により特定される車載移動端末周辺の渋滞状況を絞り込み条件に加えて位置連動コンテンツを探索する。
【００５６】
ここで、車載移動端末１の移動状況と同じトリガ条件を満たす可能性がある位置連動コンテンツが探索されない場合、Ｓ１０６の判定はＮＯとなり、本処理を終了する。また、車載移動端末１の移動状況と同じトリガ条件を満たす可能性がある位置連動コンテンツが探索された場合、Ｓ１０６の判定はＹＥＳとなり、次に、探索された位置連動コンテンツのトリガ条件を取得する（Ｓ１０８）。
【００５７】
次に、トリガ条件が成立するか否かを判定する（Ｓ１１０）。具体的には、車載移動端末１の移動状況が、探索された位置連動コンテンツのトリガ条件と一致するか否かを判定する。
【００５８】
ここで、車載移動端末１の移動状況が、探索された位置連動コンテンツのトリガ条件と一致しない場合、Ｓ１１０の判定はＮＯとなり、Ｓ１１０の判定を繰り返し実施する。また、車載移動端末１の移動状況が、探索された位置連動コンテンツのトリガ条件と一致すると、Ｓ１１０の判定はＹＥＳとなり、位置連動コンテンツを車載移動端末１へ送信し（Ｓ１１２）、本処理を終了する。
【００５９】
なお、車載移動端末１は、この位置連動コンテンツを受信すると、受信した位置連動コンテンツに応じた処理を実施する。
【００６０】
位置連動コンテンツに応じた処理の具体例としては、ある店舗より手前の特定リンクから別の特定リンクに移動した車両、あるいは移動する車両に搭載された車載移動端末１に対し、店舗より手前の地点でクーポンを配信したり、店舗についての案内を行ったりすることがある。
【００６１】
また、特定リンクから特定領域に移動した車両に搭載された車載移動端末１に対し、特定領域で行われるイベントについての案内を行うといったことがある。
【００６２】
また、雨の日にわざわざ来店してくれるお客さんに特別クーポンを配信するといったことや、渋滞が発生しているリンクから別のリンクへ移動する車両に搭載された車載移動端末１に対し、休憩スポットを案内するといったこともできる。
【００６３】
また、ユーザ管理サーバ２２により管理されるユーザ情報に含まれるユーザ属性（例えば、性別、年齢等）を、探索条件に加えるようにして、例えば、女性のお客さんに限定してクーポンを配信するといったこともできる。
【００６４】
また、車載移動端末１の移動状況から、車載移動端末１を搭載した車両が走行を開始してから間もないことを判定した場合には、休憩スポットの案内を行わないようにするといったこともできる。
【００６５】
また、車載移動端末１を搭載した車両がリンクＡからポイントＰへ移動するような場合、リンクＡで渋滞が発生していればポイントＰのすぐ手前で休憩スポットの案内を行うようにし、リンクＡで渋滞が発生していなければポイントＰよりもかなり手前で、休憩スポットの案内を行うようにするといったこともできる。
【００６６】
ところで、車載移動端末１が、通信インフラの整備されていない通信不能領域に進入してしまうと、上記したような車載移動端末１への位置連動コンテンツの提供を行うことができなくなってしまう。
【００６７】
そこで、本実施形態におけるサーバは、車載移動端末１が通信不能となる通信不能領域を規定したテーブルに基づいて車載移動端末１が通信不能領域へ移動する可能性があるか否かを判定し、車載移動端末１が通信不能領域へ移動する可能性があると判定された場合、車載移動端末１が通信不能領域へ移動する前に、通信不能領域に含まれる位置連動コンテンツを車載移動端末へ送信する処理を行う。
【００６８】
次に、図６に従って、この処理について説明する。本実施形態におけるサーバは、図５に示した処理を並行して、図６に示す処理を実施する。
【００６９】
まず、車載移動端末１から送信される識別情報に基づいて車載移動端末１を特定するとともに、車載移動端末１から定期的に送信される現在位置を表す情報に基づいて車載移動端末１の位置を特定する（Ｓ２００）。
【００７０】
次に、車載移動端末１が通信不能となる通信不能領域を規定したテーブルに基づいて車両の進行方向Ｘキロメートル（ｋｍ）内に通信不能領域が存在するか否かを判定する（Ｓ２０２）。
【００７１】
ここで、車両の進行方向Ｘキロメートル（ｋｍ）内に通信不能領域が存在しない場合、本処理を終了する。また、車両の進行方向Ｘキロメートル（ｋｍ）内に通信不能領域が存在する場合、Ｓ２０２の判定はＹＥＳとなり、次に、車載移動端末１が通信不能となる通信不能領域を規定したテーブルに基づいて通信不能領域の範囲を特定する（Ｓ２０４）。
【００７２】
次に、通信不能領域に登録されている位置連動コンテンツデータの読み出しを行う（Ｓ２０６）。なお、位置連動データベースが、位置連動コンテンツ提供ウェブページと同じサーバに格納されているとは限らない。このため、図７に示すように、位置連動コンテンツ提供ウェブページのリンク先のデータも含めて通信不能領域に登録されている位置連動コンテンツデータをキャッシュする。
【００７３】
次に、読み出した位置連動コンテンツデータを車載移動端末１へ送信し（Ｓ２０８）、本処理を終了する。
【００７４】
なお、車載移動端末１は、サーバから送信されたこの位置連動コンテンツデータを受信すると、受信した位置連動コンテンツデータをメモリに一次記憶させ、車載移動端末１を搭載した車両が通信不能領域に進入した場合、このメモリから位置連動コンテンツデータを読み出して、位置連動コンテンツの提供を行う。具体的には、メモリに一次記憶させた位置連動コンテンツデータを参照して車載移動端末の移動状況と同じトリガ条件の位置連動コンテンツを探索し、探索された位置連動コンテンツを、データベースに規定されたトリガ条件で車載移動端末のユーザに提供する。
【００７５】
上記した構成によれば、登録データベース（例えば、位置連動ＨＴＭＬデータベース２１）には、アクセスした各端末を対象として、当該端末からの入力条件に応じて提供するコンテンツを規定するとともに、車載移動端末を対象として、特定リンクから別の特定リンクへの移動、特定リンクから特定地点への移動、特定リンクから特定領域への移動の少なくとも１つをトリガ条件とし、車載移動端末がトリガ条件を満たした際に提供する位置連動コンテンツをウェブページ上で定義した位置連動コンテンツ提供ウェブページが登録されており、車載移動端末は、現在位置を特定する処理を実施し、サーバは、車載移動端末から位置連動コンテンツ提供ウェブページへのアクセスが発生し、かつ、当該位置連動コンテンツ提供ウェブページに車載移動端末を対象とした位置連動データベースが定義されていることを判定した場合、車載移動端末の現在位置から車載移動端末の移動状況を特定し、登録データベースを参照して車載移動端末の移動状況と同じトリガ条件の位置連動コンテンツを探索し、探索された位置連動コンテンツが、位置連動コンテンツに規定されたトリガ条件で車載移動端末のユーザに提供される。すなわち、ウェブページにアクセスした端末に対してユーザの条件入力の操作に応じたコンテンツを提供するとともに、車載移動端末に対しては、ユーザの条件入力の操作を必要とすることなく、車両の移動状況に応じたコンテンツを適切なタイミングで提供することができる。つまり、位置連動コンテンツ提供ウェブページにアクセスしておくことで、車載移動端末のユーザは、入力条件に応じたコンテンツの提供を受けることができ、更に、車載移動端末のユーザは何ら操作を行うことなく、車載移動端末の移動状況に適した位置連動コンテンツの提供を受けることが可能である。また、車載移動端末以外の端末のユーザは、入力条件に応じたコンテンツの提供を受けることができる。
【００７６】
また、位置連動コンテンツ提供ウェブページは、ＨＴＭＬを用いて記述されており、位置連動コンテンツは、位置連動コンテンツ提供ウェブページのｍｅｔａ情報として定義することができる。
【００７７】
また、サーバは、車載移動端末の現在位置から車載移動端末の移動先に向かって位置連動コンテンツを探索することで、車載移動端末から近い順に、規定された位置連動コンテンツを提供することが可能である。
【００７８】
また、サーバは、車載移動端末が通信不能となる通信不能領域を規定したテーブルに基づいて車載移動端末が通信不能領域へ移動するか否かを判定し、車載移動端末が通信不能領域へ移動すると判定された場合、車載移動端末が通信不能領域へ移動する前に、通信不能領域に含まれる位置連動コンテンツを車載移動端末へ送信するので、車載移動端末は通信不能領域へ移動する前に、位置連動コンテンツを取得することができ、通信不能領域へ進入してからも位置連動コンテンツの提供を行うことが可能である。
【００７９】
なお、本発明は上記実施形態に限定されるものではなく、本発明の趣旨に基づいて種々なる形態で実施することができる。
【００８０】
例えば、上記実施形態では、ナビゲーション装置を用いて車載移動端末１を構成した例を示したが、ナビゲーション装置に限定されるものではなく、取り付け部材を用いて車両の運転席付近に取り付けることが可能なタブレット端末や多機能携帯電話（スマートフォン）、取り付け部材を用いて車両の運転席付近に取り付けることが可能な移動情報端末（ＰＤＡ）等を用いて車載移動端末１を構成するようにしてもよい。
【００８１】
また、上記実施形態では、サーバ側で、車載移動端末の移動状況と同じトリガ条件の位置連動コンテンツを探索するとともに、探索された位置連動コンテンツを、データベースに規定されたトリガ条件で車載移動端末のユーザに提供する例を示したが、車載移動端末１側で、車載移動端末の移動状況と同じトリガ条件の位置連動コンテンツの探索指示を行うようにサーバに指示し、この指示に応じてサーバが、探索を実施するとともに探索された位置連動コンテンツを車載移動端末１へ送信し、この探索された位置連動コンテンツを受信した車載移動端末１が、位置連動データベースに規定されたトリガ条件でユーザに提供するように構成してもよい。
【００８２】
また、上記実施形態では、データの記載はＨＴＭＬを記述ルールとして例を示したが、今後も含めて広く一般的に使用されるＭＬ（例えば、ＸＭＬ、ＨＴＭＬ５など）を使用するように構成してもよい。
【００８３】
なお、上記実施形態における構成と特許請求の範囲の構成との対応関係について説明すると、車載移動端末１がＧＰＳ受信部１０により受信されたＧＰＳ衛星からの測位信号に基づいて現在位置を特定する現在位置特定処理が現在位置特定手段に相当し、Ｓ１０６が位置連動コンテンツ探索手段に相当し、Ｓ１１２が情報提供手段に相当し、車載移動端末のメモリが記憶手段に相当し、Ｓ２０２が通信不能領域移動判定手段に相当し、Ｓ２０８が送信手段に相当する。
【符号の説明】
【００８４】
１    車載移動端末
２    配信センター
３    登録センター
２１  位置連動ＨＴＭＬデータベース
２２  ユーザ管理サーバ
２３  移動端末ＵＩサーバ
２４  センター探索サーバ
３１  登録ＵＩサーバ
３２  位置連動ＨＴＭＬ登録サーバ
３３  審査サーバ
４１  店舗サーバ
４２  サービスプロバイダサーバ
４３  コンテンツプロバイダサーバ
【図１】
0006015059.tif 000002
【図２】
0006015059.tif 000003
【図３】
0006015059.tif 000004
【図４】
0006015059.tif 000005
【図５】
0006015059.tif 000006
【図６】
0006015059.tif 000007
【図７】
0006015059.tif 000008